(57)【要約】      （修正有）【課題】アース接続されている板金製のブラケットにビス止めされたハードディスクユニットを防振する作用を発揮するハードディスクユニットの取付構造において、防振作用を損なわずに、しかも、余分な部品を追加せずに、ハードディスクユニットをブラケットを介してアース接続する。【解決手段】アース接続されている板金製のブラケット３０と、このブラケットに装着されたダンパー５０と、ダンパー５０の筒部５１に挿通されてハードディスクユニット１０側のねじ孔１２にねじ込まれる金属製の頭付き取付けビス６０と、ブラケット３０に頭付き取付けビス６０を電気的に導通させるアース片７０と、を備える。アース片７０を、ブラケット３０に一体に連設された突片部７２によって形成する。【選択図】図２
2012014749.tif 000002
【特許請求の範囲】
【請求項１】
アース接続されている板金製のブラケットと、このブラケットに装着された筒部及びこの筒部の軸方向両端に設けられて上記ブラケットの表面及び裏面に各別に重なり合った一対の鍔形部を備えるダンパーと、ダンパーの上記筒部に挿通されて上記ハードディスクユニット側のねじ孔にねじ込まれることによりそのハードディスクユニットと電気的に導通している金属製の頭付き取付けビスと、上記ブラケットに上記頭付き取付けビスを電気的に導通させるアース片と、を備えたハードディスクユニットの取付構造において、
上記アース片が、上記ブラケットに一体に連設された突片部によって形成されていることを特徴とするハードディスクユニットの取付構造。
【請求項２】
上記突片部がビス挿通孔を有し、そのビス挿通孔に挿通された上記頭付き取付けビスの頭部が当該突片部に重なり合って両者が電気的に導通している請求項１に記載したハードディスクユニットの取付構造。
【請求項３】
上記突片部が、上記ブラケットの端縁部を始点として折返し方向に延び出ていると共に、その突片部が、上記ブラケットの表面に重なり合っている上記ダンパーの一方側の鍔形部と上記頭付き取付けビスの頭部との間に挟まれている請求項２に記載したハードディスクユニットの取付構造。
【発明の詳細な説明】
【技術分野】
【０００１】
本発明は、ハードディスクユニットの取付構造、特に、アース接続されている板金製のブラケットにビス止めされたハードディスクユニットの防振作用と、ハードディスクユニットを上記ブラケットを介してアース接続する作用とを発揮するハードディスクユニットの取付構造に関する。
【背景技術】
【０００２】
図３にこの種のハードディスクユニットの取付構造の基本構成を概略斜視図で示してあり、図４には同取付構造の要部を横断平面図で示してある。
【０００３】
図３及び図４において、箱形の外観を呈しているハードディスクユニット１０は、外ケース１１の内部に、その機能を発揮させるのに必要なディスクやその駆動機構、光学系部品などが内蔵されている。このようなハードディスクユニット１０を板金製のシャーシ２０に取り付ける場合に、ハードディスクユニット１０をシャーシ２０の底フレーム部に重ね合わせると、ハードディスクユニット１０にシャーシ２０の振動が伝わりやすい。そこで、ハードディスクユニット１０をシャーシ２０の底フレーム部から浮き上がらせてシャーシ２０に取り付けることが行われている。そのような取付構造として、シャーシ２０の複数箇所からブラケット３０，４０を立ち上げ、それらのブラケット３０，４０にダンパー５０を装着した状態で、金属製の頭付き取付けビス６０を使用してハードディスクユニット１０をブラケット３０，４０にビス止めすることが行われている。
【０００４】
図４には、図３に示した一方側のブラケット３０にハードディスクユニット１０をビス止めした状態が示されている。同図に示したように、ダンパー５０は、弾力性及び耐久性に優れたゴム材により作られていて、筒部５１とこの筒部５１の軸方向両端に設けられた一対の鍔形部５２，５３とを備えている。そして、筒部５１がブラケット３０の孔部３１に嵌め込まれることによって当該ダンパー５０がブラケット３０に装着されている。この装着状態では、ダンパー５０の一対の鍔形部５２，５３が、ブラケット３０の表面及び裏面に各別に重なり合っている。また、図例の頭付き取付けビス６０には段付ねじが採用されていて、ダンパー５０の筒部５１に挿通された当該頭付き取付けビス６０の先端のねじ部６２が、ハードディスクユニット１０の外ケース１１に形成されたねじ孔１２にねじ込まれている。図３に示した他方側のブラケット４０にハードディスクユニット１０をビス止めした構成も図４を参照して上記したものと同様の構成になっているので、他方側のブラケット４０に装着されているダンパーにも符号５０を付してある。
【０００５】
図３及び図４を参照して説明したハードディスクユニットの取付構造の基本構成によると、ダンパー５０，５０が振動を吸収するので、ブラケット３０，４０にビス止めされたハードディスクユニット１０が防振される。
【０００６】
ところで、上記シャーシ２０にはその適所に取付け座２１が一体に折曲形成されていて、それらの取付け座２１を配線基板（不図示）にビス止めすることができるようになっている。そして、複数箇所の取付け座２１を配線基板（不図示）にビス止めする場合に、それらの取付け座２１の少なくとも１つを、配線基板に形成されているアース電極（不図示）に重なり状に接触させておくことは、シャーシ２０の電荷がグランドに逃がされて有効なノイズ対策となる。しかしながら、図３及び図４を参照して説明した取付構造では、たとえシャーシ２０が配線基板のアース電極に接触しているとしても、それによってハードディスクユニット１０の電荷がグランドに逃がされることにはならない。すなわち、図４のように、ハードディスクユニット１０の外ケース１１や、その外ケース１１のねじ孔１２にねじ込まれてその外ケース１１に電気的に導通している金属製の頭付き取付けビス６０は、ダンパー５０の筒部５１や鍔形部５２，５３によって板金製のブラケット３０から電気的に絶縁されているからである。
【０００７】
そこで、従来は、上記の基本構成を踏襲した上で、ダンパー５０による防振作用を損なうことなく、ハードディスクユニット１０の電荷をシャーシ２０を経てグランドに逃がすための対策を講じていた。この点を図５を参照して次に説明する。
【０００８】
図５は従来例によるハードディスクユニットの取付構造を示した概略斜視図である。同図のように、従来例では、アース片７０としての板金材単体７１を追加し、その板金材単体７１を、ブラケット３０に接触させると共に、頭付き取付けねじ６０の頭部とダンパー５０との間に挟み込むという対策を講じていた。この構成であると、ハードディスクユニット１０の外ケース１１のねじ孔１２（図４参照）にねじ込まれている頭付き取付けビス６０が板金材単体７１を経てブラケット３０に電気的に導通するので、ハードディスクユニット１０の電荷が、頭付き取付けビス６０、ブラケット３０を備えているシャーシ２０、配線基板のアース電極（不図示）に重なり状に接触している取付け座２１を介してグランドに逃がされるようになる。また、板金材単体７１を追加したことによってダンパー５０の特性が損なわれることはないので、ダンパー５０の防振作用によってハードディスクユニット１０が防振される。
【０００９】
先行例には、ハードディスクユニットの取付構造として、ハードディスクドライブが重なり合っている第１支持部材の表裏両側に個別にダンパーを配置し、第１支持部材と個々の上記ダンパーとを貫通させた取付けビスを、別の第２支持部材にねじ込むことによって、ハードディスクドライブを別の第２支持部材にビス止めする場合に、リアパネルに切起し形成したフック部を、第１支持部材とその表側に配された片側のダンパーとの間に挟み込むことが提案されている（たとえば、特許文献１参照）。この取付構造によると、ダンパーにより防振作用が発揮されると同時に、フック部がハードディスクドレープの電荷をリアパネルに逃がすことに役立つのて、上記したアース片を形成するための余分な部材を必要としない。
【００１０】
他の先行例には、ハードディスクドライブの接地状態を確保した上で、ハードディスクドライブの取付状態での不要のストレスの発生を防止するための対策や、グランド強化用ストラップを別途使用することによって、ハードディスクドライブへの振動伝達を抑制しつつ、ハードディスクドライブとフレームとの間の電気的導通性を向上させるという対策についての提案がなされている（たとえば、特許文献３参照）。
【先行技術文献】
【特許文献】
【００１１】
【特許文献１】特開２００８−１５２８９５号公報
【特許文献２】特開２００６−１６４３２９号公報
【特許文献３】特開２００９−１９３６１１号公報
【発明の概要】
【発明が解決しようとする課題】
【００１２】
しかしながら、図５を参照して説明した従来例では、アース片７０としての板金材単体７１を余分に追加することが必要になるので、それだけ部品点数が増加してコスト高になるという問題がある。
【００１３】
また、上掲の特許文献１によって提案されている取付構造では、第１支持部材の表裏両側に個別にダンパーを配置することが必要であるので、ダンパーの必要数が増加してコスト高になるという問題がある。その上、この特許文献１は、電荷をリアパネルに逃がす手段を開示しているだけであるので、上記した従来例のようにハードディスクユニットの電荷をブラケットないしシャーシを介して配線基板のアース電極に逃がすための手段を示唆するものではない。
【００１４】
本発明は、以上の問題に鑑みてなされたものであり、余分な部品を必要とすることなく、アース接続されている板金製のブラケットにビス止めされたハードディスクユニットを防振する作用と、ハードディスクユニットを上記ブラケットを介してアース接続する作用とを発揮するハードディスクユニットの取付構造を提供することを目的とする。
【課題を解決するための手段】
【００１５】
本発明に係るハードディスクユニットの取付構造は、アース接続されている板金製のブラケットと、このブラケットに装着された筒部及びこの筒部の軸方向両端に設けられて上記ブラケットの表面及び裏面に各別に重なり合った一対の鍔形部を備えるダンパーと、ダンパーの上記筒部に挿通されて上記ハードディスクユニット側のねじ孔にねじ込まれることによりそのハードディスクユニットと電気的に導通している金属製の頭付き取付けビスと、上記ブラケットに上記頭付き取付けビスを電気的に導通させるアース片と、を備えている。そして、上記アース片が、上記ブラケットに一体に連設された突片部によって形成されている。
【００１６】
この構成であると、ダンパーが振動を吸収するので、アース接続されている板金製のブラケットにビス止めされているハードディスクユニットが防振される。また、ブラケットに頭付き取付けビスを電気的に導通させるアース片が上記ブラケットに一体に連設された突片部によって形成されているので、アース片を構成するための余分な部品を追加する必要がない。
【００１７】
本発明では、上記突片部がビス挿通孔を有し、そのビス挿通孔に挿通された上記頭付き取付けビスの頭部が当該突片部に重なり合って両者が電気的に導通している、という構成を採用することが可能である。また、上記突片部が、上記ブラケットの端縁部を始点として折返し方向に延び出ていると共に、その突片部が、上記ブラケットの表面に重なり合っている上記ダンパーの一方側の鍔形部と上記頭付き取付けビスの頭部との間に挟まれている、という構成を採用することも可能である。
【発明の効果】
【００１８】
以上のように、本発明によると、余分な部品を必要とすることなく、アース接続されている板金製のブラケットにビス止めされたハードディスクユニットを防振する作用と、ハードディスクユニットを上記ブラケットを介してアース接続する作用とが発揮されるようになる。
【図面の簡単な説明】
【００１９】
【図１】本発明の実施形態に係るハードディスクユニットの取付構造を示した概略斜視図である。
【図２】同取付構造の要部の横断平面図である。
【図３】ハードディスクユニットの取付構造の基本構成を示した概略斜視図である。
【図４】図３の取付構造の要部の横断平面図である。
【図５】従来例によるハードディスクユニットの取付構造を示した概略斜視図である。
【発明を実施するための形態】
【００２０】
図１は本発明の実施形態に係るハードディスクユニットの取付構造を示した概略斜視図である。図２は同取付構造の要部の横断平面図である。
【００２１】
この実施形態は、図３及び図４を参照して説明したハードディスクユニットの取付構造の基本構成を基礎として、その防振作用を損なわずにハードディスクユニットをブラケットを介してアース接続するようにした事例である。
【００２２】
図１及び図２において、ハードディスクユニット１０の外ケース１１は、箱形に形成されていて、その機能を発揮させるのに必要なディスクやその駆動機構、光学系部品などが内蔵されている。ハードディスクユニット１０は、板金製のシャーシ２０の底フレーム部から浮き上がった状態でそのシャーシ２０に取り付けられている。すなわち、シャーシ２０の複数箇所からブラケット３０，４０が立ち上げられていて、それらのブラケット３０，４０にダンパー５０を装着した状態で、金属製の頭付き取付けビス６０を使用してハードディスクユニット１０がブラケット３０，４０にビス止めされている。なお、図１にはハードディスクユニット１０の幅方向片側に位置している前後のブラケット３０，４０にダンパー５０，５０が装着され、それらのブラケット３０，４０に金属製の頭付き取付けビス６０を使用してハードディスクユニット１０がビス止めされている状態が示されているだけであるけれども、ハードディスクユニット１０の幅方向他側でも同様の構成でダンパーを介して前後のブラケットに金属製の頭付き取付けビスを使用してハードディスクユニット１０がビス止めされている。
【００２３】
図２には、図１に示した一方側のブラケット３０にハードディスクユニット１０をビス止めした状態が示されている。同図に示したように、ダンパー５０は、弾力性及び耐久性に優れたゴム材により作られていて、筒部５１とこの筒部５１の軸方向両端に設けられた一対の鍔形部５２，５３とを備えている。そして、筒部５１がブラケット３０の孔部３１に嵌め込まれることによって当該ダンパー５０がブラケット３０に装着されている。この装着状態では、ダンパー５０の一対の鍔形部５２，５３が、ブラケット３０の表面及び裏面に各別に重なり合っている。また、図例の頭付き取付けビス６０には段付ねじが採用されていて、ダンパー５０の筒部５１に挿通された当該頭付き取付けビス６０の先端のねじ部６２が、ハードディスクユニット１０の外ケース１１に形成されたねじ孔１２にねじ込まれている。図１に示した他方側のブラケット４０にハードディスクユニット１０をビス止めした構成も図４を参照して上記したものと同様の構成になっているので、他方側のブラケット４０に装着されているダンパーにも符号５０を付してある。
【００２４】
図１及び図２に示したように、この実施形態では、一方側のブラケット３０に頭付き取付けビス６０を電気的に導通させるアース片７０としての突片部７２が設けられている。この突片部７２は、一方側のブラケット３０に一体に連設されている。すなわち、突片部７２は、ブラケット３０の片側の端縁部３２を始点として折返し方向に延び出てそのブラケット３０に対して平行又は略平行に保形されている。そして、この突片７２にビス挿通孔７３が備わっていて、そのビス挿通孔７３に、上記した頭付き取付けビス６０が挿通されている。また、その突片部７２が、ブラケット３０の表面に重なり合っているダンパー５０の一方側の鍔形部５３と頭付き取付けビス６０の頭部６１との間に挟まれていると共に、その頭部６１が当該突片部７２に重なり合って両者が電気的に導通されている。
【００２５】
この実施形態による取付構造によると、ダンパー５０，５０が振動を吸収するので、ブラケット３０，４０にビス止めされたハードディスクユニット１０が防振される。
【００２６】
また、シャーシ２０の適所に折曲形成されている複数の取付け座２１のうちの少なくとも１つが、配線基板に形成されているアース電極（不図示）に重なり状に接触するようになっている。したがって、頭付き取付けビス６０がダンパー５０の筒部５１によって板金製のブラケット３０から電気的に絶縁されているとしても、ハードディスクユニット１０の電荷が、ハードディスクユニット１０の外ケース１１、頭付き取付けビス６０、突片部７２及びブラケット３０、シャーシ２０、取付け座２１を経て配線基板のアース電極に逃がされる。
【００２７】
このため、ダンパー５０による防振作用を損なわず、しかも、図５に示したような別部品としての板金材単体７１を追加することなく、ハードディスクユニット１０の電荷をグランドに逃がすことができる。
【００２８】
この実施形態では、アース片７０としての突片部７２が、ブラケット３０の片側の端縁部３２を始点として折返し方向に延び出てそのブラケット３０に対して平行又は略平行に保形されているけれども、この点は、突片部７２が、ブラケット３０の他側の端縁部や上側の端縁部を始点として折返し方向に延び出てそのブラケット３０に対して平行又は略平行に保形されていてもよい。
【符号の説明】
【００２９】
１０  ハードディスクユニット
１２  ねじ孔
３０  ブラケット
３２  ブラケットの端縁部
５０  ダンパー
５１  ダンパーの筒部
５２，５３  ダンパーの鍔形部
６０  頭付き取付けビス
６１  頭付き取付けビスの頭部
７０  アース片
７２  突片部
７３  ビス挿通孔
【図１】
2012014749.tif 000003
【図２】
2012014749.tif 000004
【図３】
2012014749.tif 000005
【図４】
2012014749.tif 000006
【図５】
2012014749.tif 000007